(57)【要約】【課題】複数のバリヤ羽根を独自に移動させてレンズバリヤ装置の簡素化を図る。【解決手段】レンズバリヤ装置１は、レンズ鏡筒２のレンズ３の前方に開口部４を形成する枠体５に設けた第１の軸６に第１，第２のバリヤ羽根８，９が回動可能に組み付けられ、第２の軸７に第３，第４のバリヤ羽根１０，１１が回動可能に組み付けられていて、これら第1〜第４のバリヤ羽根８〜１１は、第１，第２のバネ１２，１３によって開口部４を閉じる位置に付勢されている。第１，第２のカム係合突起１４，１５を設けた回動リング１６を回動させると第１のカム係合突起１４で第１，第２のバリヤ羽根８，９の根元部分に形成したカム面１７，１８を押し、第２のカム係合突起１５で第３，第４のバリヤ羽根１０，１１の根元部分にそれぞれ形成したカム面１７〜２０を押して、第1〜第４のバリヤ羽根８〜１１を開位置に移動させる。【選択図】図４
2008287127.tif 000002
【特許請求の範囲】
【請求項１】
レンズ鏡筒のレンズの前方に開口部を形成する枠体と、
上記枠体に上記開口部を介して対抗する位置に配置された第１，第２の軸に回動自在に取り付けられて上記開口部を開閉する複数のバリヤ羽根と、
上記複数のバリヤ羽根を閉方向に付勢している第１，第２のバネと、
上記枠体に回動可能に組み付けられていて一方向に回動させることにより第１，第２のカム係合突起で上記複数のバリヤ羽根のカム面を押圧して複数のバリヤ羽根を開方向に回動させる回動リングと、を備え、
上記複数のバリヤ羽根は、
上記第1の軸に回動可能に取り付けられていて上記開口部の半部の内，外側を開閉する第1，第２のバリヤ羽根と、
上記第２の軸に回動可能に取り付けられていて上記開口部の残りの半部の内，外側を開閉する第３，第４のバリヤ羽根と、で構成され、
上記複数のバリヤ羽根のカム面は、上記軸の根元部分の内側面に形成されていることを特徴とするレンズバリヤ装置。
【請求項２】
上記第２，第４のバリヤ羽根のカム面は、上記カム係合突起の移動方向に対する傾斜角度θ１が上記第１，第３のバリヤ羽根の上記カム係合突起の移動方向に対する傾斜角度θ２よりも大に形成されていることを特徴とする請求項１に記載のレンズバリヤ装置。
【請求項３】
上記第1，第３のバリヤ羽根は、上記第１，第２のバネによって上記開口部を閉じる位置に移動し、
上記第２，第４のバリヤ羽根は、これら第２，第４のバリヤ羽根に設けた第１の係合部に上記第1，第３のバリヤ羽根に設けた第３の係合部が係合し上記第1，第３のバリヤ羽根に従動して上記開口部を閉じる位置に移動することを特徴とする請求項１に記載のレンズバリヤ装置。
【請求項４】
上記第２，第４のバリヤ羽根は、上記開口部を閉じた位置において上記第１の係合部が第３の係合部によって上記枠体に設けたストッパに押し付けられて位置決めされることを特徴とする請求項１に記載のレンズバリヤ装置。
【請求項５】
上記枠体は、
上記レンズ鏡筒のレンズの前方に配置されていて上記開口部を形成する第1の開口部形成孔を有するベースプレートと、
上記ベースプレートの前方に配置されていて上記ベースプレートの第1の開口部形成孔と共に上記開口部を形成する第２の開口部形成孔を有するフロントプレートと、で構成され、
上記フロントプレートに上記第1〜第４の複数のバリヤ羽根、第１，第２のバネが設けられていることを特徴とする請求項１に記載のレンズバリヤ装置。
【請求項６】
上記回動リングは、上記ベースプレートの上記レンズ側の側面に設けられたリング状の溝内に回動可能に収容され、
上記回動リングに設けた上記第1，第２のカム係合突起は、上記ベースプレートに設けられた円弧状の孔から上記フロントプレート側に突出し、
上記リング状の溝は、上記ベースプレートの背面に重ね合わせたカバープレート
で塞がれていることを特徴とする請求項５に記載のレンズバリヤ装置。
【発明の詳細な説明】
【技術分野】
【０００１】
本発明は、デジタルスチルカメラ、デジタルビデオカメラ等の撮像装置において、非撮影時に撮像レンズの前方を覆って、上記撮像レンズを保護するレンズバリヤ装置に関するものである。
【背景技術】
【０００２】
レンズバリヤ装置として、複数のバリヤ羽根を使用し、これらバリヤ羽根をバネで開口部を閉じた状態に維持すると共に、回動リングを回動させることにより上記バネの力に抗して上記複数のバリヤ羽根を回動させて上記開口部を開くようにしたものが知られている。（例えば、特許文献１参照）
特許文献１のレンズバリヤ装置においては、1枚のバリヤ羽根と他のバリヤ羽根に第1連係部と第２連係部を設け、上記回動リングにより1枚のバリヤ羽根を上記開口部を閉じる方向に回動させると、上記第1連係部によって他のバリヤ羽根も連動移動されて上記開口部を閉じる。また、上記回動リングにより1枚のバリヤ羽根を上記開口部を開く方向に回動させると、上記第２連係部によって他のバリヤ羽根も連動移動されて上記開口部を開くようになっている。
【特許文献１】特開平７−１５２０６６号公報
【発明の開示】
【発明が解決しようとする課題】
【０００３】
ところで、上記従来のレンズバリヤ装置は、上記第1連係部と第２連係部により、1枚のバリヤ羽根に連動させて他のバリヤ羽根を移動させる構成になっているために、上記第1連係部と第２連係部の存在によりバリヤ羽根の構造が複雑になり、コストも高くなるという問題点があった。
【０００４】
本発明の目的は、1枚のバリヤ羽根を上記開口部を開く方向に回動させたときに他のバリヤ羽根を連動させる第２連係部を無くして、バリヤ羽根の構造を簡素化することにある。
【課題を解決するための手段】
【０００５】
本発明は、レンズ鏡筒のレンズの前方に開口部を形成する枠体と、上記枠体に上記開口部を介して対抗する位置に配置された第１，第２の軸に回動自在に取り付けられて上記開口部を開閉する複数のバリヤ羽根と、上記複数のバリヤ羽根を閉方向に付勢している第１，第２のバネと、上記枠体に回動可能に組み付けられていて一方向に回動させることにより第１，第２のカム係合突起で上記複数のバリヤ羽根のカム面を押圧して複数のバリヤ羽根を開方向に回動させる回動リングと、を備えたレンズバリヤ装置において、
上記複数のバリヤ羽根を、上記第1の軸に回動可能に取り付けられていて上記開口部の半部の内，外側を開閉する第1，第２のバリヤ羽根と、上記第２の軸に回動可能に取り付けられていて上記開口部の残りの半部の内，外側を開閉する第３，第４のバリヤ羽根と、で構成すると共に、上記複数のバリヤ羽根のカム面を、上記軸の根元部分の内側面に形成した。
【発明の効果】
【０００６】
上記回動リングに設けたカム係合突起で個々のバリヤ羽根のカム面を押圧して上記複数のバリヤ羽根を開くので、上記従来のレンズバリヤ装置の第２連係部に相当するものは不必要になりその分、バリヤ羽根の構造を簡素化することができる。また、上記軸の根元部分の内側面に形成したので、カム係合突起の少ない移動でバリヤ羽根の開閉を行うことができる。
【発明を実施するための最良の形態】
【０００７】
図1はレンズバリヤ装置の使用状態を示し、開口部を閉じた状態の斜視図、図２は開口部を開いた状態の斜視図、図３はレンズバリヤ装置の斜視図、図４はレンズバリヤ装置の分解斜視図である。
【０００８】
図１，図２に示すように、レンズバリヤ装置１は、レンズ鏡筒２の先端部にレンズ３を覆うように取り付けられている。
【０００９】
レンズバリヤ装置１は、レンズ３の前方に開口部４を備えていて、撮影時には上記開口部４を開いて撮影する。また、非撮影時等においては上記開口部４を閉じてレンズ３を保護する。
【００１０】
図３に示すように、上記レンズバリヤ装置１は、上記開口部４を形成する枠体５と、上記枠体５に第1，第２の軸６，７で回動自在に取り付けられていて上記開口部４を開閉する第1〜第４の複数のバリヤ羽根８〜１１と、上記第１，第２のバリヤ羽根８，９を閉方向に付勢している第1の捩じりコイルバネ１２と、上記第３，第４のバリヤ羽根１０，１１を閉方向に付勢している第２の捩じりコイルバネ１３と、上記枠体５に回動可能に組み付けられていて一方向に回動させることにより上記バネ１２，１３に抗して第1，第２のカム係合突起１４，１５（図４参照）で上記複数のバリヤ羽根８〜１１を開方向に回動させる回動リング１６（図４参照）と、を備えている。
【００１１】
図４に示すように、上記複数のバリヤ羽根８〜１１は、上記回動リング１６を一方向に回動させることにより上記カム係合突起１４，１５で押圧されてこれら複数のバリヤ羽根８〜１１を開方向に回動させるカム面１７〜２０を備えている。
【００１２】
上記枠体５は、上記レンズ３の前方に配置されて上記開口部４を形成する第1の開口部形成孔２１を有するベースプレート２２と、上記ベースプレート２２の前方に配置されて上記ベースプレート２２の第1の開口部形成孔２１と共に上記開口部４を形成する第２の開口部形成孔２３を有するフロントプレート２４と、で構成されている。上記ベースプレート２２の背面側には上記回動リング１６と、該回動リング１６の背面側を覆うバックプレート２５が配置される。
【００１３】
上記ベースプレート２２は、上記フロントプレート２４に対向する面と反対側の面に上記回動リング１６を回動可能に組み付けるリング状の溝３１を備え、該リング状の溝３１に底面に、上記第1，第２のカム係合突起１４，１５を挿入してその先端部を上記フロントプレート２４側に突出させる第1，第２の円弧状の孔３２，３３を備えている。これら第1の円弧状の孔３２と第２の円弧状の孔３３は、上記第1の開口部形成孔２１を介して対称位置に設けられている。また、上記ベースプレート２２は、下端部にギヤボックス３４を備えている。
【００１４】
図５に拡大して示すように、上記フロントプレート２４は、上記ベースプレート２２に対向する面の上記第２の開口部形成孔２３を介して対向する位置に上記第1，第２の軸６，7を備えている。上記第1の軸６の近傍には上記第1の捩じりコイルバネ１２を取り付ける第１のバネ取付部４１と、該第1の捩じりコイルバネ１２の一端部を係止する第1のバネ係止部４２と、上記ベースプレート２２等をネジで結合するためのボス部４３が設けられている。また、上記第２の軸７の近傍には上記第２の捩じりコイルバネ１３を取り付ける第２のバネ取付部４４と、該第２の捩じりコイルバネ１３の一端部を係止する第２のバネ係止部４５と、上記ベースプレート２２等をネジで結合するためのボス部４６が設けられている。なお、２点鎖線で示すように、上記第１の軸６には、上記第１のバリヤ羽根８の一端部が回動可能に取り付けられると共に、該第１のバリヤ羽根８上に重ね合わせるようにして第２のバリヤ羽根９の一端部が回動可能に取り付けられている。また、上記第２の軸７には、上記第３のバリヤ羽根１０の一端部が回動可能に取り付けられ、該第３のバリヤ羽根１０上に重ね合わせるようにして第４のバリヤ羽根１１の一端部が回動可能に取り付けられる。
図４に示すように、上記第１のバリヤ羽根８は、略円弧状に形成されていて一端側に軸挿入孔５１を備え、他端側に第１の係合部５２を備え、上記軸挿入孔５１と第１の係合部５２の間に第２の係合部５３を備えている。上記第１のバリヤ羽根８は、上記軸挿入孔５１に上記第１の軸６を挿入することにより該第１の軸６を中心にして回動可能に組み付けられる。上記第３のバリヤ羽根１０は、上記第１のバリヤ羽根８と略同じに形成されていて上記第２の軸７に回動可能に組み付けられる。
また、上記第２のバリヤ羽根９は、略円弧状に形成されていて一端側に軸挿入孔５４およびバネ係止部５５を備え、他端側に第３の係合部５６を備えている。上記第２のバリヤ羽根９は、上記軸挿入孔５４に上記第１の軸６を挿入することにより上記第１のバリヤ羽根８上に重ね合わせた状態で上記第１の軸６に回動可能に組み付けられている。上記第４のバリヤ羽根１１は、上記第２のバリヤ羽根９と略同じに形成されていて上記第３のバリヤ羽根１０上に重ね合わせた状態で上記第２の軸７に回動可能に組み付けられる。
図６〜図８は第1〜第４の複数のバリヤ羽根８〜１１および上記第1，第２の捩じりコイルバネ１２，１３を上記フロントプレート２４に組み付けた状態を示す。上述したように第１のバリヤ羽根８と第２のバリヤ羽根９は、互いに重ね合わせた状態で第１の軸６に回動可能に組み付けられると共に、第３のバリヤ羽根１０と第４のバリヤ羽根１１は、互いに重ね合わせた状態で第２の軸７に回動可能に組み付けられる。
第１の捩じりコイルバネ１２は、中央のコイル部１２aが第１のバネ取付部４１に取り付けられていて、一端部が第１のバネ係止部４２に係止され、他端部が第２のバリヤ羽根９のバネ係止部５５に係止されて、上記第２のバリヤ羽根９に上記第１の軸６を中心に反時計方向の回動力を付与している。
上記第１の捩じりコイルバネ１２により反時計方向の回動力を付与された第２のバリヤ羽根９は、先端の第３の係合部５６が第１のバリヤ羽根８に設けた第１の係合部５２に係合し、該第２の係合部５２をフロントプレート２４に設けた第１のストッパ５７に押し付けて、上記第１のバリヤ羽根８と第２のバリヤ羽根９とで、上記開口部４の略上半部を塞いだ状態に維持する。
第２の捩じりコイルバネ１３は、中央のコイル部１３aが第２のバネ取付部４４に取り付けられていて、一端部が第２のバネ係止部４５に係止され、他端部が第４のバリヤ羽根１１のバネ係止部５５に係止されて上記第４のバリヤ羽根１１に上記第２の軸７を中心に反時計方向の回動力を付与している。
上記第２の捩じりコイルバネ１３により反時計方向の回動力を付与された第４のバリヤ羽根１１は、先端の第３の係合部５６が第３のバリヤ羽根１０に設けた第１の係合部５２に係合し、該第１の係合部５２をフロントプレート２４に設けた第２のストッパ５８に押し付けて、上記第３のバリヤ羽根１０と第４のバリヤ羽根１１とで、上記開口部４の略下半部を塞いだ状態に維持する。
図４に示すように、上記回動リング１６は、上記ベースプレート２２と対向する面に第1，第２のカム係合突起１４，１５を備え、下端に円弧状のギヤ６１とセンサ遮光部６２を備えている。上記回動リング１６を上記ベースプレート２２に設けたリング状の溝３１内に回動可能に組み付けると、図９，図１０に示すように、上記第1のカム係合突起１４の先端部は、上記リング状の溝３１に底面に設けた第1の円弧状の孔３２から抜け出て、上記第1，第２のバリヤ羽根８，９のカム面１７，１８に係合可能な位置まで突出する。また、上記第２のカム係合突起１５の先端部は、上記リング状の溝３１に底面に設けた第２の円弧状の孔３３から抜け出て、上記第３，第４のバリヤ羽根１０，１１のカム面１９，２０に係合可能な位置まで突出する。そして、上記回動リング１６を時計方向（図１０の矢印方向）に回動させると、上記第1，第２のバリヤ羽根８，９は、上記第1のカム係合突起１４で上記カム面１７，１８が押圧されて開方向に移動し、上記第３，第４のバリヤ羽根１０，１１は、上記第２のカム係合突起１５で上記カム面１９，２０が押圧されて開方向に移動し、図１１に示す半開状態を経て、図１２に示す全開状態になる。
図１３，図１４に拡大して示すように、上記第１のバリヤ羽根８のカム面１７と第２のバリヤ羽根９のカム面１８は、軸６側の端部においては第1のカム係合突起１４の移動方向に対して略同じ傾斜角度に形成されていて、第1のカム係合突起１４により押されて略同じ量回動するようになっている。
上記第１のバリヤ羽根８のカム面１７と第２のバリヤ羽根９のカム面１８は、途中から上記第1のカム係合突起１４の移動方向に対する傾斜角度を変えて形成されている。具体的には、上記第２のバリヤ羽根９のカム面１８の途中からの傾斜角度θ１は、上記第１のバリヤ羽根８のカム面１７の途中からの傾斜角度θ２よりも大に形成されている。従って、上記第1のカム係合突起１４が移動してきて、上記第１のバリヤ羽根８のカム面１７と第２のバリヤ羽根９のカム面１８の同じ傾斜角度部分を押圧したときには、図１１，図１５，図１６に示すように、第1のバリヤ羽根８と第２のバリヤ羽根９は、略同じ量回動して所謂半開き状態になる。そして、更に回動リング１６を回動させると、上記傾斜角度の相違により第２，第４のバリヤ羽根９，１１は、第１，第３のバリヤ羽根８，１０よりも大きな回動角度で回動していって、最終的に、図１２，図１７，図１８に示すように、
第1のバリヤ羽根８と第２のバリヤ羽根９は、上記開口部を全開状態にする。なお、図示は省略したが、上記第３，第４のバリヤ羽根１０，１１の上記第２のカム係合突起１５の移動方向に対する傾斜角度も上記第1，第２のバリヤ羽根８，９の傾斜角度と同様に形成されて、これら第1，第２のバリヤ羽根８，９と同期して移動する。
【００１５】
図１９はベースプレート２２から回動リング１６を取り外すと共に該回動リング１６を回動させる駆動機構を分解した状態を示す斜視図、図２０は駆動機構を組み付けた状態の斜視図である。
上述したように、上記ベースプレート２２の下端にはギヤボックス３４が設けられている。上記ギヤボックス３４は、上面側と背面側と一側面側が開口されている。そして、上記上面側の開口から上記回動リング１６の下端に設けた円弧状のギヤ６１とセンサ遮光部６２がギヤボックス３４内に挿入される。
上記ギヤボックス３４内には上記円弧状のギヤ６１に噛合するギヤ７１と、該ギヤ７１と同軸でこれよりも大径のギヤ７２と、該ギヤ７２に噛合するギヤ７３と、該ギヤ７３に噛合するギヤ７４と、該ギヤ７４と同軸のウォームホイールギヤ７５と、該ウォームホイールギヤ７５に噛合するウォームギヤ７６と、からなるギヤトレインが配置されている。
上記ウォームギヤ７６は、モータ７７の回転軸に取り付けられていて、該モータ７７の回転は、上記ギヤトレインにより減速されて上記円弧状のギヤ６１に伝達されて上記回動リング１６を回動させる。
また、図２１，図２２に示すように、上記ギヤボックス３４内には発光部８１と受光部８２からなる遮光センサ８３が配置されている。遮光センサ８３は、センサ基板８４（図２３参照）にマウントされていて、上記回動リング１６の回動により上記センサ遮光部６２が侵入可能な位置に配置されている。
図２１に示すセンサ遮光部６２が発光部８１と受光部８２の間から抜け出ている状態において、モータ７７で回動リング１６を時計方向に回動させると、図２２に示すように、センサ遮光部６２が発光部８１と受光部８２の間に侵入して遮光センサ８３は、遮光を検出する。この時点から回動リング１６を設定量回動させてモータ７７を停止させることにより上記第1〜第４の複数のバリヤ羽根８〜１１は、開状態から閉状態になる。また、図２２に示す状態から、モータ７７を逆回転させてセンサ遮光部６２が発光部８１と受光部８２の間から抜け出たことを検出したら、この時点から回動リング１６を設定量回動させてモータ７７を停止させることにより上記第1〜第４の複数のバリヤ羽根８〜１１は、閉状態から開状態になる。
図２３に示すように上記モータ７７とセンサ基板８４は、カバープレート９１に取り付けられている。上記カバープレート９１は、ネジ９２によって上記ギヤボックス３４に取り付けられて、該ギヤボックス３４の背面側と一側面側の開口を塞いでいる。また、上記バックプレート２５は、ネジ９３，９４によって上記ベースプレート２２の背面に上記リング状の溝３１を塞いだ状態で、且つ、下端の曲げ起こし部２５aで上記ギヤボックス３４の上面側の開口を塞いだ状態で取り付けられる。
上記ネジ９３，９４は、バックプレート２５に設けたネジ孔９５、ベースプレート２２に設けたネジ孔９６を通してフロントプレート２４のボス部４６に螺合されていて、上記バックプレート２５とベースプレート２２とフロントプレート２４を所謂共締めして、これらを一体的に結合している。
上述したように、上記ギヤボックス３４の開口は、カバープレート９１およびその下端の曲げ起こし部２５aで密閉されて、ギヤボックス３４は、防塵性の高いものになる。また、図２５に示すように、フロントプレート２４を取り外した状態でベースプレート２２の前面側を見ると、ベースプレート２２には、上記第1，第２のカム係合突起１４，１５を突出させるための第1，第２の円弧状の孔３２，３３が形成されているだけであるので、ベースプレート２２の前面側からの防塵性も良好なものになる。
次に、上記レンズバリヤ装置１の作用について説明する。図６に示すように、上記第１の捩じりコイルバネ１２により反時計方向の回動力を付与された第２のバリヤ羽根９は、先端の第３の係合部５６が第１のバリヤ羽根８に設けた第１の係合部５２に係合し、該第２の係合部５２をフロントプレート２４に設けた第１のストッパ５７に押し付けて、上記第１のバリヤ羽根８と第２のバリヤ羽根９とで、上記開口部４の略上半部を塞いだ状態に維持する。一方、上記第２の捩じりコイルバネ１３により反時計方向の回動力を付与された第４のバリヤ羽根１１は、先端の第３の係合部５６が第３のバリヤ羽根１０に設けた第１の係合部５２に係合し、該第１の係合部５２をフロントプレート２４に設けた第２のストッパ５８に押し付けて、上記第３のバリヤ羽根１０と第４のバリヤ羽根１１とで、上記開口部４の略下半部を塞いだ状態に維持する。従って、上記開口部４は、上記第1〜第４の複数のバリヤ羽根８〜１１によって完全に閉じられた状態になる。
上記開口部４が完全に閉じられた状態においては、図１０，図１３，図１４に示すように、上記第1，第２のカム係合突起１４，１５は、上記第1，第２の円弧状の孔３２，３３の一端側に位置して上記カム面と非接触状態になっている。
この状態から回動リング１６を回動させて、第1，第２のカム係合突起１４，１５を矢印方向に移動させると、上述したように上記第1のカム係合突起１４が上記第１のバリヤ羽根８のカム面１７と第２のバリヤ羽根９のカム面１８の同じ傾斜角度部分を押圧するのと同時に、上記第２のカム係合突起１５が上記第３のバリヤ羽根１０のカム面１９と第４のバリヤ羽根１１のカム面２０の同じ傾斜角度部分を押圧して、図１１，図１５，図１６に示すように、第1〜第４の複数のバリヤ羽根８〜１１を半開き状態にする。そして、更に回動リング１６を回動させると、上述したように上記カム面の傾斜角度の相違により第２のバリヤ羽根９，第４のバリヤ羽根１１は、第１のバリヤ羽根８，第３のバリヤ羽根１０よりも大きな回動角度で回動して行って、第1〜第４の複数のバリヤ羽根８〜１１は、図１２，図１７，図１８に示すように、上記開口部を全開状態にする。
また、上記開口部を全開状態から全閉状態にするのには、上記開口部を開く場合と回動リング１６を逆方向に回動させることにより行う。図８に示す開口部を全開した状態で回動リング１６を逆転させると、上記第１の捩じりコイルバネ１２により第２のバリヤ羽根９は、閉方向に回動する。
上記第２のバリヤ羽根９が閉方向に所定角度回動すると、該第２のバリヤ羽根９に設けた第３の係合部５６が第１のバリヤ羽根８に設けた第２の係合部５２に係合して第１のバリヤ羽根８を閉方向に従動させる。そして、上記第２の係合部５２をフロントプレート２４に設けた第１のストッパ５７に押し付けて第１のバリヤ羽根８を閉位置に決め固定する。
一方、第２の捩じりコイルバネ１３により第４のバリヤ羽根１１は、閉方向が閉方向に所定角度回動すると、該第４のバリヤ羽根１１に設けた第３の係合部５６が第３のバリヤ羽根１０に設けた第２の係合部５２に係合して第３のバリヤ羽根１０を閉方向に従動させる。そして、上記第２の係合部５２をフロントプレート２４に設けた第２のストッパ５８に押し付けて第３のバリヤ羽根１０を閉位置に決め固定する。なお、第1〜第４の複数のバリヤ羽根８〜１１のカム面１７〜２０の形状は、上記実施例のものに限定されず、上記カム面１７〜２０の形状を変えることにより第1〜第４の複数のバリヤ羽根８〜１１の開閉のタイミングを適宜に設定することができる。
【図面の簡単な説明】
【００１６】
【図１】レンズバリヤ装置をレンズ鏡筒に取り付けてバリヤ羽根を開いた状態の斜視図。
【図２】レンズバリヤ装置をレンズ鏡筒に取り付けてバリヤ羽根を閉じた状態の斜視図。
【図３】レンズバリヤ装置の斜視図。
【図４】レンズバリヤ装置の分解斜視図。
【図５】フロントプレートを背面側から見た斜視図。
【図６】バリヤ羽根とバネを組み付けてバリヤ羽根を閉じたフロントプレートの背面図。
【図７】図６の要部の拡大図。
【図８】バリヤ羽根とバネを組み付けてバリヤ羽根を開いたフロントプレートの背面図。
【図９】フロントプレートとベースプレートを開いてバリヤ羽根とバネをベースプレート側に残した状態を示す説明図。
【図１０】バリヤ羽根を全閉した状態におけるカム係合突起とカム面の関係を示す説明図。
【図１１】バリヤ羽根を半開した状態におけるカム係合突起とカム面の関係を示す説明図。
【図１２】バリヤ羽根を全開した状態におけるカム係合突起とカム面の関係を示す説明図。
【図１３】図１０の要部の平面図。
【図１４】図１３の要部の拡大図。
【図１５】図１１の要部の平面図。
【図１６】図１５の要部の拡大図。
【図１７】図１２の要部の平面図。
【図１８】図１７の要部の拡大図。
【図１９】回動リングを回動させるモータとギヤトレインの分解斜視図。
【図２０】モータとギヤトレインを組み付けた状態の斜視図。
【図２１】センサ遮光部による遮光センサの遮光が解除された状態の斜視図。
【図２２】センサ遮光部により遮光センサが遮光されている状態の斜視図。
【図２３】バックプレートおよびカバープレートを組み付ける前の斜視図。
【図２４】バックプレートおよびカバープレートを組み付けた後の斜視図。
【図２５】図２４からフロントプレートを取り外した斜視図。
【符号の説明】
【００１７】
１…レンズバリヤ装置、２…レンズ鏡筒、３…レンズ、４…開口部、５…枠体、６…第１の軸、７…第２の軸、８〜１１…第1〜第４のバリヤ羽根、１２…第１の捻りコイルバネ、１３…第２の捻りコイルバネ、１４…第１のカム係合突起、１５…第２のカム係合突起、１６…回動リング、１７〜１８…カム面、２２…ベースプレート、２４…フロントプレート、２５…バックプレート、３１…リング状の溝、３２…第１の円弧状の孔、３３…第２の円弧状の孔、３４…ギヤボックス、５２…第１の係合部、５３…第２の係合部、５６……第３の係合部、５７…第１のストッパ、５８…第２のストッパ、６２…センサ遮光部、８３…遮光センサ。
【図１】
2008287127.tif 000003
【図２】
2008287127.tif 000004
【図３】
2008287127.tif 000005
【図４】
2008287127.tif 000006
【図５】
2008287127.tif 000007
【図６】
2008287127.tif 000008
【図７】
2008287127.tif 000009
【図８】
2008287127.tif 000010
【図９】
2008287127.tif 000011
【図１０】
2008287127.tif 000012
【図１１】
2008287127.tif 000013
【図１２】
2008287127.tif 000014
【図１３】
2008287127.tif 000015
【図１４】
2008287127.tif 000016
【図１５】
2008287127.tif 000017
【図１６】
2008287127.tif 000018
【図１７】
2008287127.tif 000019
【図１８】
2008287127.tif 000020
【図１９】
2008287127.tif 000021
【図２０】
2008287127.tif 000022
【図２１】
2008287127.tif 000023
【図２２】
2008287127.tif 000024
【図２３】
2008287127.tif 000025
【図２４】
2008287127.tif 000026
【図２５】
2008287127.tif 000027